(57)【特許請求の範囲】
【請求項１】
水を加熱する加熱手段を有する加熱容器と、前記加熱容器への給水を制御する給水弁と、前記加熱容器内の水を湯パイプから吐出するポンプと、前記加熱容器の貯湯量を検知する貯湯量検知手段と、前記加熱容器を洗浄する洗浄シーケンスを行う制御手段とを備え、前記洗浄シーケンスは、前記加熱容器内の水を前記湯パイプから吐出する手動排湯工程１、前記手動排湯工程１終了後前記湯パイプから洗剤液を投入する洗剤液投入工程、前記加熱容器内への給水後加熱温調して前記加熱容器内を洗剤液で洗浄する洗剤液洗浄工程及び前記洗剤液混入の湯を手動操作にて前記湯パイプから吐出する手動排湯工程２とを有し、前記手動排湯工程２終了後、前記給水弁の駆動による前記加熱容器への自動給水と前記ポンプの駆動による前記加熱容器から前記湯パイプへの自動排水を行う自動すすぎ工程を含んでなる給湯装置。
【請求項２】
手動排湯工程１は、加熱容器内の水温を検知する温度検知手段の検知温度が所定温度より高い場合、あるいは前記洗浄シーケンス開始後加熱手段による加熱を停止または加熱出力を低下させかつ前記洗浄シーケンス開始後所定時間以内の場合には、ポンプの自動駆動を禁止し手動で前記ポンプを駆動して前記加熱容器内の水を湯パイプから吐出するようにしてなる請求項１記載の給湯装置。
【請求項３】
自動すすぎ工程は、手動排湯工程２終了後加熱容器への自動給水と前記加熱容器から湯パイプへの自動排水を２回以上行うようにしてなる請求項１または２に記載の給湯装置。
【請求項４】
洗剤液投入工程は、貯湯量検知手段の検知が所定量増加したことを検知すると洗浄液投入が行われたと判断して、次の動作を行う請求項１〜３のいずれか１項に記載の給湯装置。
【請求項５】
洗剤液投入工程は、貯湯量検知手段の検知水量が所定時間経過しても所定量増加しない場合には、報知を行う請求項４に記載の給湯装置。
【請求項６】
洗浄シーケンスをキャンセルして、前記洗浄シーケンスに移行する前の動作に復帰することができるキャンセル手段と、洗剤液投入工程にある旨を表示する表示手段とを有し、前記表示手段による前記洗剤液投入工程にある旨の表示がなされている場合には、前記洗浄シーケンスをキャンセルすることができないようにしてなる請求項１〜５のいずれか１項に記載の給湯装置。
【請求項７】
手動排湯工程１は、洗浄シーケンスに移行して、加熱容器内に残っている水を湯パイプから吐出している時に、貯湯量検知手段が所定量以上の水量を検知している場合には、前記洗浄シーケンスをキャンセルして、前記洗浄シーケンスに移行する前の動作に復帰することができるが、前記貯湯量検知手段が所定量未満の水量を検知している場合には、前記洗浄シーケンスをキャンセルすることができないようにしてなる請求項６に記載の給湯装置。
【発明の詳細な説明】
【０００１】
【発明の属する技術分野】
本発明は、一般家庭におけるキッチンシステムへ組み込んで使用するビルトインタイプの給湯装置に関するものである。
【０００２】
【従来の技術】
従来の給湯装置を電気湯沸かし器で説明する。従来の電気湯沸かし器では、図６に示すように、水を入れる容器４１と、水を加熱する加熱手段４２と、容器４１内の湯を本体上部に導水する湯パイプ４３と、容器４１内の湯を湯パイプ４３に汲み出すポンプ４４と、容器４１内の湯温を検知する温度検知手段４５と、容器４１内の湯の状態を示す表示手段４６と、温度検知手段４５の検知温度に従って、加熱手段４２を制御する制御装置４７とを備えていた。また、制御装置４７は、クエン酸液を用いて、容器４１内に付着した水垢を取り除く洗浄シーケンスを設けていた。
【０００３】
このクエン酸を用いた洗浄シーケンスは、使用者が、容器４１内への水の給水と、クエン酸液投入を行い、動作をスタートさせるものであった。
【０００４】
【発明が解決しようとする課題】
しかしながら、上記従来の構成では、洗浄シーケンスをスタートする前にあらかじめ容器内に満水まで水を給水する必要があった。
【０００５】
本発明は、上記従来の課題を解決するもので、給水弁を駆動して、自動で加熱容器内に水を給水することを目的とする。
【０００６】
【課題を解決するための手段】
前記従来の課題を解決するために本発明は、水道管から加熱容器へ給水する給水道を設け、加熱容器の洗浄シーケンス動作時には、加熱容器への水の給水と排水を自動化して利用者の煩わしい操作を軽減したものである。
【０００７】
【発明の実施の形態】
請求項１に記載の発明は、水を加熱する加熱手段を有する加熱容器と、前記加熱容器への給水を制御する給水弁と、前記加熱容器内の水を湯パイプから吐出するポンプと、前記加熱容器の貯湯量を検知する貯湯量検知手段と、前記加熱容器を洗浄する洗浄シーケンスを行う制御手段とを備え、前記洗浄シーケンスは、前記加熱容器内の水を前記湯パイプから吐出する手動排湯工程１、前記手動排湯工程１終了後前記湯パイプから洗剤液を投入する洗剤液投入工程、前記加熱容器内への給水後加熱温調して前記加熱容器内を洗剤液で洗浄する洗剤液洗浄工程及び前記洗剤液混入の湯を手動操作にて前記湯パイプから吐出する手動排湯工程２とを有し、前記手動排湯工程２終了後、前記給水弁の駆動による前記加熱容器への自動給水と前記ポンプの駆動による前記加熱容器から前記湯パイプへの自動排水を行う自動すすぎ工程を含んでなる給湯装置とする。
【０００８】
この構成によれば、クエン酸等の洗剤を投入して洗浄する洗浄シーケンスにおいて給水弁の駆動による加熱容器内への水の給水とポンプの駆動による加熱容器内の水の吐出とを自動で行うことで、使用者の煩わしい給水作業や吐出作業を軽減することができる。
【０００９】
請求項２に記載の発明は、特に、請求項１に記載の構成において、手動排湯工程１は、加熱容器内の水温を検知する温度検知手段の検知温度が所定温度より高い場合、あるいは前記洗浄シーケンス開始後加熱手段による加熱を停止または加熱出力を低下させかつ前記洗浄シーケンス開始後所定時間以内の場合には、ポンプの自動駆動を禁止し手動で前記ポンプを駆動して前記加熱容器内の水を湯パイプから吐出するようにしてなることにより、クエン酸による洗浄シーケンスにおいて、温度検知手段の検知温度が所定温度より高い場合や、洗浄シーケンス開始後加熱手段による加熱動作を停止または加熱出力を低下させてから所定時間以内の場合、即ち、加熱容器内の温度が高いと思われる場合に、湯の自動吐出を防ぐことができる。急ぐ場合には、加熱容器内の湯を手動操作で吐出させることにより、不用意に湯が自動吐出するのを防止することができる。
【００１０】
請求項３記載の発明は、特に、請求項１または２に記載の構成において、自動すすぎ工程は、手動排湯工程２終了後加熱容器への自動給水と加熱容器から湯パイプヘの自動排水を２回以上行うようにしてなることにより、加熱容器内からのお湯にクエン酸等の洗浄剤のにおいが残りにくくすることができる。
【００１１】
請求項４記載の発明は、請求項１〜３のいずれか１項に記載の構成とするとともに、洗剤液投入工程は、貯湯量検知手段の検知が所定量増加したことを検知すると洗剤液投入が行われたと判断して、次の動作を行うことにより、クエン酸液等の洗浄液の投入が行なわれたと判断して、その後の洗浄シーケンスの自動動作を開始することができる。
【００１２】
請求項５記載の発明は、請求項４に記載の構成とするとともに、洗剤液投入工程は、貯湯量検知手段の検知が所定時間経過しても所定量増加しない場合には、報知を行うことにより、使用者にクエン酸液等の洗剤液の投入を促すことができる。また、洗剤液の投入忘れも防ぐことができる。
【００１３】
請求項６記載の発明は、請求項１〜５のいずれか１項に記載の構成とするとともに、洗浄シーケンスをキャンセルして、前記洗浄シーケンスに移行する前の動作に復帰することができるキャンセル手段と、洗剤液投入工程にある旨を表示する表示手段とを有し、前記表示手段による前記洗剤液投入工程にある旨の表示がなされている場合には、洗浄シーケンスをキャンセルすることができないようにしてなることにより、クエン酸液等の洗剤液を投入してしまった恐れがある水の利用を止めることができる。
【００１４】
請求項７記載の発明は、請求項６に記載の構成とするとともに、手動排湯工程１は、洗浄シーケンスに移行して、加熱容器内に残っている水を湯パイプから吐出している時に、貯湯量検知手段が所定量以上の水量を検知している場合には、前記洗浄シーケンスをキャンセルして、前記洗浄シーケンスに移行する前の動作に復帰することができるが、前記貯湯量検知手段が所定量未満の水量を検知している場合には、洗浄シーケンスをキャンセルすることができないようにしてなることにより、クエン酸液等の洗浄液を投入してしまった恐れがある水の利用を止めることができる。
【００１５】
【実施例】
以下、本発明の実施例について図１〜図５を基に説明する。図１において、１は水道管で、２は分岐栓で、３は止水栓である。４はキッチンユニット５内部に収められた給湯装置の加熱ユニットで、内部に水を入れる加熱容器６がある。
【００１６】
水道管１から分岐栓２により分岐した接続管７は、給水弁８を介して浄水カートリッジ９の入り口に取り付けられている。浄水カートリッジ９の出口には、切替弁１０が接続されている。切替弁１０の一方（切替弁が駆動している時）は、加熱容器６の上部に接続されている。加熱容器６の底部には水を加熱する主ヒータ１１と、加熱した水を保温する補助ヒータ１２と、加熱容器６内の水温を検出するサーミスタ１３とが取り付けられている。
【００１７】
また、加熱容器６内の湯の出口下部には、内部の湯をキッチンユニット５上部に吐出させるポンプ１４が取り付けられている。さらに、加熱容器６内には、貯湯量を検知するための水位電極１５が取り付けられている。この水位電極１５は、加熱容器６内から取り出せる貯湯量に応じて、０．１と０．３、０．６、０．９、１．２リットルが検知できるように取り付けられている。
【００１８】
なお、ポンプ１４から加熱容器６内へのパイプは、少し加熱容器６内の底面から突き出していて、ポンプ１４を駆動継続しても、加熱容器６内に０．３リットル残る構成となっている。この構成により、給水した温度の低い水は、加熱容器６内の底面に留まり、ポンプ１４を駆動しても外部に吐出しない構成となっている。１６は、加熱容器６内への給水した水を貯めて、ゆっくりと加熱容器６内へ水を補充する給水バッファである。この給水バッファ１６により、給水を行っても、加熱容器６内の湯温度をあまり低下させない構成になっている。
【００１９】
１７はキッチンユニット５の上部に設けられた水栓で、加熱容器６内の湯を導水する湯パイプ１８と、切替弁１０により分岐したもう一方（切替弁が停止している時）の水パイプ１９と、加熱容器６上部に連通した蒸気パイプ２０とを収納している。そしてこれらの各パイプ１８〜２０および水道栓１ａは、キッチンシンク５ａに臨んで位置している。２１は表示操作部で、水栓１７上部の外面に設けられている。２３はサーミスタ１３及び水位電極１５、表示操作部２１の入力に基づき、給水弁８及び切替弁１０、主ヒータ１１、補助ヒータ１２、ポンプ１４、表示操作部２１を制御するマイクロコンピュータを含む制御手段である。
【００２０】
図２は本実施例の表示操作部２１を示していて、図３は本実施例の表示操作部２１とポンプ１４とを含む一部の電気回路図を示している。
【００２１】
浄水ボタンスイッチ２１ａを押すと給水弁８が駆動する。給水弁８が駆動すると、水道管１からの水は、浄水カートリッジ９を通過して、切替弁１０が停止となっているので水パイプ１９を通過して出水する。もう一度、浄水ボタンスイッチ２１ａを押すと、給水弁８が停止して、水パイプ１９からの出水は止まる。
【００２２】
ロック解除ボタンスイッチ２１ｂを押すと、ロック解除ＬＥＤ２１ｅが点灯するとともに半導体スイッチ２３ｂが駆動して出湯可能状態になる。ロック解除ボタンスイッチ２１ｂを押してから１０秒以内に出湯ボタンスイッチ２１ｃを押し続けると、出湯ボタンスイッチ２１ｃを押している間のみ、ポンプ１４が駆動して、加熱容器６内の水を湯パイプ１８から吐出する。
【００２３】
また、出湯ボタンスイッチ２１ｃは、マイクロスイッチとなっていて、ポンプ１４駆動用の電流が流せる仕様となっている。押し続けている出湯ボタンスイッチ２１ｃから手を離すと、ポンプ１４が停止して湯バイプ１８からの出湯は止まる。１０秒後に、ロック解除ＬＥＤ２１ｃが消灯して、出湯不可能状態となる。また、湯量１ＬＥＤ２１ｆ、湯量２ＬＥＤ２１ｇ、湯量３ＬＥＤ２１ｈは、水位電極１５の検知に応じて変化する。
【００２４】
洗浄スイッチ２１ｄは、状態をキープするプッシュスイッチで、クエン酸による専用の洗浄シーケンスを動かすスイッチとなっている。クエン酸による専用の洗浄シーケンスは、後で詳しく説明する。洗浄スイッチ２１ｄをオンに切り替えるとポンプ１４は、半導体スイッチ２３ｂのみの駆動で動作させることができる。
【００２５】
また、ポンプ１４が駆動すると加熱容器内の水を吐出するので、通常の状態では、出湯ボタンスイッチ２１ｃを押している状態のみ、出湯が行われるようになっていて、半導体スイッチ２３ｂが壊れてショート状態になっても出湯ボタンスイッチ２１ｃが押されないと吐出しない構成となっている。そのため、この構成では、マイクロコンピュータ２３ａのみでポンプ１４の駆動ができないので、洗浄スイッチ２１ｄをキープするプッシュスイッチを備えている。クエン酸による専用の洗浄シーケンスを動作させているときだけ、マイクロコンピュータ２３ａのみでポンプ１４の駆動が可能となっている。すなわち、自動吐出が可能となる。
【００２６】
上記した実施例における動作について、図１〜図３を参照しながら説明する。電源をオンすると、切替弁１０と給水弁８とを駆動する。駆動後、水は、水道管１から浄水カートリッジ９を通過した後、切替弁１０によって加熱容器６内に給水していく。水位電極１５の検知量が０．３リットルに達すると、給水弁８と切替弁１０を停止して加熱容器６内への給水は止まる。その後、主ヒータ１１と補助ヒータ１２を駆動して、加熱容器６内の水を加熱する。
【００２７】
なお、この状態では、加熱容器６内の湯温が低くなっており、湯量１ＬＥＤ２１ｆが点滅表示をしていて、利用者に出湯禁止状態であることを示している。また、この状態では、ロック解除ボタンスイッチ２１ｂを押しても出湯可能状態にはならない。その後、サーミスタ１３の検知温度が９５℃以上に達すると、再度、切替弁１０と給水弁８とを５秒間駆動して、加熱容器６内に少量の水を給水する。ここから、湯量１ＬＥＤ２１ｆが点灯表示に切り変わる。また、ロック解除ボタンスイッチ２１ｂを押すと、出湯可能状態になる。その後、給水動作によって、サーミスタ１３の検知温度が少し下がり、その後サーミスタ１３の検知温度が９３℃以上に達すると、再度、切替弁１０と給水弁８を５秒間駆動して、加熱容器６内に少量の水を給水する。水位電極１５の検知量が１．２リットル以上になるまでこれらの動作を繰り返す。この動作を給水湯沸かし動作と呼ぶ。その後、水位電極１５の検知量が１．２リットル以上を検知すると、主ヒータ１１と補助ヒータ１２を停止する。
【００２８】
また、サーミスタ１３の検知温度が９２℃未満となると、補助ヒータ１２を駆動して加熱容器６内のお湯を高温保温するようになっている。この動作を保温動作と呼ぶ。
【００２９】
クエン酸による専用の洗浄シーケンスの動作について、図４と図５を参照しながら説明する。ここで、洗浄スイッチ２１ｄをオンに切り替えると、図４（ａ）に示す手動排湯工程１に移行する。湯量１ＬＥＤ２１ｆと湯量２ＬＥＤ２１ｇ、湯量３ＬＥＤ２１ｈ、クエン酸洗浄ＬＥＤ２１ｉが点滅表示に切り替わり、使用者は、クエン酸による専用の洗浄シーケンスに移行したこと確認する。
【００３０】
また、湯量１ＬＥＤ２１ｆと湯量２ＬＥＤ２１ｇ、湯量３ＬＥＤ２１ｈの点滅表示となっているので使用者は、ロック解除ボタンスイッチ２１ｂを押して出湯可能状態にしてから出湯ボタンスイッチ２１ｃを押して、加熱容器６内に残っている湯を手動操作にて吐出する。
【００３１】
また、洗浄スイッチ２１ｄをオンに切り替えられているが、ロック解除ボタンスイッチ２１ｂを押しても、ロック解除ＬＥＤ２１ｅのみ点灯して、半導体スイッチ２３ｂは駆動しない。出湯ボタンスイッチ２１ｃが押されると半導体スイッチ２３ｂが駆動して、ポンプ１４も駆動する構成となっている。加熱容器６内の湯温度が高いので、このような手動吐出の操作で吐出するようにしている。
【００３２】
さらに、水位電極１５の検知量が０．１リットルを検知すると次のクエン酸液投入工程に移行する。なお、水位電極１５の検知量が０．１リットルを検知するまでに洗浄スイッチ２１ｄをオフに切り替えると先ほどの保温動作や給水湯沸かし動作に復帰するが、水位電極１５の検知量が０．１リットルを検知してからは、洗浄スイッチ２１ｄをオフに切り替えても先ほどの保温動作や給水湯沸かし動作には復帰しない。
【００３３】
なお、その状態では、ブザー報知を継続して、洗浄スイッチ２１ｄをオン状態に切り替えるように使用者に知らせる。これは、クエン酸液を投入してしまった可能性があり、そのまま保温動作や給水湯沸かし動作に復帰すると、そのクエン酸液入りのお湯を利用してしまう恐れがあるために復帰できないようにしている。
【００３４】
次に、図４（ｂ）のクエン酸液投入工程に移行する。湯量３ＬＥＤ２１ｈが消灯となり、湯量１ＬＥＤ２１ｆと湯量２ＬＥＤ２１ｇ、クエン酸洗浄ＬＥＤ２１ｉが点滅表示を継続している。そこで、使用者は、湯パイプ１８の出湯口よりクエン酸液を投入する。水位電極１５の検知量が０．６リットルを検知すると次のクエン酸洗浄工程に移行する。
【００３５】
なお、この水位電極１５の検知量が５分経過しても０．６リットルを検知しない場合には、使用者にブザーにて報知を行う。さらに、１０分経過しても０．６リットルを検知しない場合にも次のクエン酸洗浄工程に移行する。
【００３６】
次に、図４（ｃ）のクエン酸洗浄工程に移行する。すると、湯量１ＬＥＤ２１ｆと湯量２ＬＥＤ２１ｇが点灯表示に切り替わり、クエン酸洗浄ＬＥＤ２１ｉが点滅表示を継続している。切替弁１０と給水弁８とを駆動して水位電極１５の検知量が１．２リットルを検知するまで加熱容器６内への給水を行う。その後、主ヒータ１１と補助ヒータ１２を駆動して、加熱容器６内の水を加熱する。サーミスタ１３の検知温度が９５℃を検知すると、主ヒータ１１を停止しする。その後１時間は、補助ヒータ１２の温調動作を行い、その後手動排湯工程２に移行する。補助ヒータ１２の温調動作は、サーミスタ１３の検知温度が９５℃未満を検知すると補助ヒータ１２を駆動して９５℃以上を検知すると補助ヒータ１２を停止する動作のことである。この補助ヒータ１２の温調動作により加熱容器６内でクエン酸液の対流を起こし、加熱容器６内に付着したカルシウムや金属イオン等を取り除くことができる。
【００３７】
次に、図５（ａ）の手動排湯工程２に移行する。すると、残量２ＬＥＤ２１ｇを消灯して、残量１ＬＥＤ２１ｆを点滅表示に切り替える。クエン酸洗浄ＬＥＤ２１ｉは点滅を継続している。加熱容器６内に残っているクエン酸混入の湯を手動にて吐出する。同じく、洗浄スイッチ２１ｄをオンに切り替えられているが、ロック解除ボタンスイッチ２１ｂを押しても、ロック解除ＬＥＤ２１ｅのみ点灯して、半導体スイッチ２３ｂは駆動しない。出湯ボタンスイッチ２１ｃが押されると半導体スイッチ２３ｂが駆動して、ポンプ１４も駆動する構成となっている。加熱容器６内の湯温度が高いので、このような手動吐出の操作で吐出するようにしている。さらに、水位電極１５の検知量が０．１リットルを検知すると次の自動すすぎ工程に移行する。
【００３８】
次に、図５（ｂ）の自動すすぎ工程に移行する。残量１ＬＥＤ２１ｆが点灯表示に切り替わり、クエン酸洗浄ＬＥＤ２１ｉは点滅を継続している。切替弁１０と給水弁８とを駆動して水位電極１５の検知量が１．２リットルを検知するまで加熱容器６内への給水を行う。その後、ロック解除ＬＥＤ２１ｆを点灯を行い、半導体スイッチ２３ｂを駆動して、自動にて、ポンプ１４を駆動する。水位電極１５の検知量が０．１リットルを検知すると再度、切替弁１０と給水弁８とを駆動して水位電極１５の検知量が１．２リットルを検知するまで加熱容器６内への給水を行う。これらの給水と吐出を４回繰り返し、加熱容器６内に残ったクエン酸液を薄める。これは、ポンプ１４を駆動しても加熱容器６内には、０．３リットルの湯が残る構成となっていて、１．２リットルの水の給水と１．２リットルの水の排水を４回行うことで、約０．１６％（＝０．３／（１．２＋０．３）×０．３／（１．２＋０．３）×０．３／（１．２＋０．３）×０．３／（１．２＋０．３）×１００）まで薄めることができ、臭いも残らない。その後、切替弁１０と給水弁８を駆動して水位電極１５の検知量が０．６リットルを検知するまで給水を行いその後、主ヒータ１１と補助ヒータ１２を駆動して、加熱容器６内の水を加熱する。サーミスタ１３の検知温度が９１℃より高くなると、終了工程に移行する。
【００３９】
最後に、図５（ｃ）に示す終了工程に移行する。ブザー報知とクエン酸洗浄ＬＥＤ２１ｉのみの遅い点滅表示に切り替わり、クエン酸による専用の洗浄シーケンスの終了を知らせる。使用者は、洗浄スイッチ２１ｄをオフ側に切り替えることで、洗浄シーケンスを終了する。
【００４０】
以上のように、加熱容器６を洗浄する洗浄シーケンスを実行する制御手段２３を有し、その洗浄シーケンスは水位電極１５（貯湯量検知手段）の検知結果に基づき給水弁８とポンプ１４を自動駆動して加熱容器６内を洗浄する工程を含んでなることにより、クエン酸等の洗剤を投入して洗浄する洗浄シーケンスにおいて給水弁８の駆動による加熱容器６内への水の給水とポンプ１４の駆動による加熱容器６内の水の吐出とを自動で行うことで、使用者の煩わしい給水作業や吐出作業を軽減することができる。
【００４１】
また、本実施例では、手動排湯条件をサーミスタ１３の検知温度を監視しているわけではないがクエン酸洗浄移行時と、クエン酸洗浄工程終了後のようにあらかじめ加熱容器６内の湯温度が高いと判断（推定）できる時としているので、高温の湯が不用意に吐出される恐れが少ない。さらに、洗浄シーケンスがサーミスタ１３の検知温度が所定温度（例えば６０℃）以上の場合は、手動排湯するようにすれば、即ち、ポンプ１４の自動駆動を禁止し手動でポンプ１４を駆動して加熱容器６内の水を吐出する工程を含むようにすれば、同様に高温の湯の自動吐出を防ぐことができるとともに、水が低い温度になれば自動吐出することができる。急ぐ場合には、加熱容器６内の湯を手動操作で吐出させることにより、不用意に湯が自動吐出するのを防止することができるものである。
【００４２】
なお、洗浄シーケンス開始後、主ヒータ１１（加熱手段）及び補助ヒータ１２（加熱手段）による加熱を停止するまたは加熱出力を低下させる（例えば補助ヒータ１２のみ動作させ）場合には、徐々に温度が低下するので、洗浄シーケンス開始後所定時間以内であれば、加熱容器６内の湯を手動操作で吐出させるようにすればよい。
【００４３】
また、洗浄シーケンスは、加熱容器６内の水を吐出する工程終了後クエン酸液（洗浄液）を投入する工程及びその洗浄液を吐出する工程とを有し、洗剤液を吐出する工程終了後加熱容器６への自動給水と自動排水を２回以上行うすすぎ工程を設けたことにより、加熱容器６内からのお湯にクエン酸等の洗浄剤のにおいが残りにくくすることができる。
【００４４】
洗浄液を投入する工程において、水位電極１５（貯湯量検知手段）の検知が所定量増加したことを検知すると洗浄液投入が完了したと判断して、次の動作を行うクエン酸による洗浄シーケンスのクエン酸液投入待ち時に、加熱容器６内の貯湯量の増加を検知することにより、クエン酸液等の洗浄液の投入が行なわれたと判断して、その後の洗浄シーケンスの自動動作を開始することができる。
【００４５】
また、洗浄シーケンスは、洗浄液を投入する工程において、水位電極１５（貯湯量検知手段）の検知水量が所定時間経過しても所定量増加しない場合には、報知を行うことにより、使用者にクエン酸液等の洗剤液の投入を促すことができる。また、洗剤液の投入忘れも防ぐことができる。
【００４６】
また、洗浄シーケンスをキャンセルして、洗浄シーケンスに移行する前の動作に復帰することができる洗浄スイッチ２１ｄ（キャンセル手段）と、洗浄液を投入する工程にある旨を表示するクエン酸洗浄ＬＥＤ２１ｉ（表示手段）とを有し、クエン酸洗浄ＬＥＤ２１ｉによる洗浄液を投入する工程にある旨の表示がなされている場合には、洗浄シーケンスをキャンセルすることができないようにしてなることにより、クエン酸液が投入してしまった恐れがある水の利用を止めることができる。
【００４７】
また、洗浄シーケンスに移行して、加熱容器６内に残っている水を吐出している時に、水位検知手段１５（貯湯量検知手段）が所定量以上の水量を検知している場合には、洗浄シーケンスをキャンセルして、洗浄シーケンスに移行する前の動作に復帰することができるが、水位検知手段１５（貯湯量検知手段）が所定量未満の水量を検知している場合には、洗浄シーケンスをキャンセルすることができないようにしてなることにより、クエン酸液が投入してしまった恐れがある水の利用を止めることができる。
【００４８】
また、手動排湯工程２終了後のすすぎ動作を４回にしているが、これは、吐出できない０．３リットルのクエン酸液を薄めるのに必要な回数なので、吐出できない水量に応じてこの回数を変更することができる。また、洗浄液投入待ち時間を５分と１０分とに設定しているが、これらの数値に限定されるものではない。
【００４９】
【発明の効果】
以上のように本発明によれば、クエン酸等の洗剤液を使用して、使用者の使い勝手の良い安全な洗浄を行える給湯装置を提供することができる。
【図面の簡単な説明】
【図１】  本発明の実施例における給湯装置の断面図
【図２】  本発明の実施例における給湯装置の表示操作部の平面図
【図３】  本発明の実施例における給湯装置のポンプ回りの電気回路図
【図４】  （ａ）本発明の実施例における給湯装置の洗浄シーケンス移行時の表示操作部の表示状態を示す図
（ｂ）本発明の実施例における給湯装置のクエン酸液投入工程移行時の表示操作部の表示状態を示す図
（ｃ）本発明の実施例における給湯装置のクエン酸液洗浄工程移行時の表示操作部の表示状態を示す図
【図５】  （ａ）本発明の実施例における給湯装置の手動排水工程移行時の表示操作部の表示状態を示す図
（ｂ）本発明の実施例における給湯装置の自動すすぎ工程移行時の表示操作部の表示状態を示す図
（ｃ）本発明の実施例における給湯装置の終了工程移行時の表示操作部の表示状態を示す図
【図６】  従来の電気湯沸かし器の水回路を示す要部断面図
【符号の説明】
１  水道管
４  加熱ユニット
６  加熱容器
８  給水弁
１０  切替弁
１１  主ヒータ
１２  補助ヒータ
１３  サーミスタ
１４  ポンプ
１５  水位電極
２１  表示操作部
２３  制御手段
【図１】
0003743391.tif 000002
【図２】
0003743391.tif 000003
【図３】
0003743391.tif 000004
【図４】
0003743391.tif 000005
【図５】
0003743391.tif 000006
【図６】
0003743391.tif 000007